(57)【要約】      （修正有）【課題】限られた身近な資源で作製することができ、環境や人体に優しいトイレットペーパーを提供する。【解決手段】重ねられた複数枚の長尺なウェブが巻き回されてロール状に形成されたトイレットペーパーであって、最表層のウェブである最表層ウェブ５が、古紙原料をダンボールのみとし、未晒しのダンボールの色と同じ薄茶色であり、最表層ウェブ以外の前記ウェブである内側ウェブ６が、ダンボール以外の原料を含む。【選択図】図２
0003235445.tif 000002
【実用新案登録請求の範囲】
【請求項１】
長尺なウェブが巻き回されてロール状に形成されたトイレットペーパーであって、
古紙原料をダンボールのみとし、未晒しの前記ダンボールの色と同じ薄茶色である、
ことを特徴とするトイレットペーパー。
【請求項２】
重ねられた複数枚の長尺なウェブが巻き回されてロール状に形成されたトイレットペーパーであって、
最表層の前記ウェブである最表層ウェブが、古紙原料をダンボールのみとし、未晒しの前記ダンボールの色と同じ薄茶色であり、
前記最表層ウェブ以外の前記ウェブである内側ウェブが、前記ダンボール以外の原料を含む、
ことを特徴とするトイレットペーパー。
【請求項３】
重ねられた複数枚の長尺なウェブが巻き回されてロール状に形成されたトイレットペーパーであって、
最表層の前記ウェブである最表層ウェブが、ダンボール以外の原料を含み、
前記最表層ウェブ以外の前記ウェブである内側ウェブが、古紙原料を前記ダンボールのみとし、未晒しの前記ダンボールの色と同じ薄茶色である、
ことを特徴とするトイレットペーパー。
【請求項４】
重ねられた複数枚の長尺なウェブが巻き回されてロール状に形成されたトイレットペーパーであって、
最表層の前記ウェブである最表層ウェブ、前記最表層ウェブよりも下層にある前記ウェブである内側ウェブ、及び、前記内側ウェブよりも下層にある前記ウェブである下層ウェブを有し、
前記内側ウェブが、古紙原料をダンボールのみとし、未晒しの前記ダンボールの色と同じ薄茶色であり、
前記最表層ウェブ及び前記下層ウェブが、前記ダンボール以外の原料を含む、
ことを特徴とするトイレットペーパー。
【請求項５】
前記ダンボール以外の原料が、バージンパルプを含む、
ことを特徴とする請求項２から請求項４の何れか１項に記載されたトイレットペーパー。
【請求項６】
前記最表層ウェブの裏面にインクが印刷された、
ことを特徴とする請求項２から請求項５の何れか１項に記載されたトイレットペーパー。
【請求項７】
前記内側ウェブの表面にインクが印刷された、
ことを特徴とする請求項２から請求項５の何れか１項に記載されたトイレットペーパー。
【請求項８】
前記インクに、消臭抗菌材が含有された、
ことを特徴とする請求項６又は請求項７に記載されたトイレットペーパー。
【考案の詳細な説明】
【技術分野】
【０００１】
本考案は、トイレットペーパーに関するものである。
【背景技術】
【０００２】
従来、トイレットペーパーは、古紙等が原料とされ、上質の古紙から作製されたものや、漂白剤で漂白されたものは、白色度が高いため（下記特許文献１参照。）、消費者に好まれている。
【先行技術文献】
【特許文献】
【０００３】
【特許文献１】特開２０２０−１４１８７０号公報
【考案の概要】
【考案が解決しようとする課題】
【０００４】
しかし、上質の古紙原料が入手できなくなる事態も起こり得るし、人体への安全性の観点から、漂白剤が好まれない場合もある。
【０００５】
本考案は、この様な実情に鑑みて提案されたものである。限られた身近な資源で作製することができ、環境や人体に優しいトイレットペーパーの提供を目的とする。
【課題を解決するための手段】
【０００６】
上記目的を達成するために、本考案に係るトイレットペーパーは、長尺なウェブが巻き回されてロール状に形成されたトイレットペーパーであって、古紙原料をダンボールのみとし、未晒しの前記ダンボールの色と同じ薄茶色である、ことを特徴とする。
【０００７】
本考案に係るトイレットペーパーは、重ねられた複数枚の長尺なウェブが巻き回されてロール状に形成されたトイレットペーパーであって、最表層の前記ウェブである最表層ウェブが、古紙原料をダンボールのみとし、未晒しの前記ダンボールの色と同じ薄茶色であり、前記最表層ウェブ以外の前記ウェブである内側ウェブが、前記ダンボール以外の原料を含む、ことを特徴とする。
【０００８】
本考案に係るトイレットペーパーは、重ねられた複数枚の長尺なウェブが巻き回されてロール状に形成されたトイレットペーパーであって、最表層の前記ウェブである最表層ウェブが、ダンボール以外の原料を含み、前記最表層ウェブ以外の前記ウェブである内側ウェブが、古紙原料を前記ダンボールのみとし、未晒しの前記ダンボールの色と同じ薄茶色である、ことを特徴とする。
【０００９】
本考案に係るトイレットペーパーは、重ねられた複数枚の長尺なウェブが巻き回されてロール状に形成されたトイレットペーパーであって、最表層の前記ウェブである最表層ウェブ、前記最表層ウェブよりも下層にある前記ウェブである内側ウェブ、及び、前記内側ウェブよりも下層にある前記ウェブである下層ウェブを有し、前記内側ウェブが、古紙原料をダンボールのみとし、未晒しの前記ダンボールの色と同じ薄茶色であり、前記最表層ウェブ及び前記下層ウェブが、前記ダンボール以外の原料を含む、ことを特徴とする。
【００１０】
本考案に係るトイレットペーパーは、前記ダンボール以外の原料が、バージンパルプを含む、ことを特徴とする。
【００１１】
本考案に係るトイレットペーパーは、前記最表層ウェブの裏面にインクが印刷された、ことを特徴とする。
【００１２】
本考案に係るトイレットペーパーは、前記内側ウェブの表面にインクが印刷された、ことを特徴とする。
【００１３】
本考案に係るトイレットペーパーは、前記インクに、消臭抗菌材が含有された、ことを特徴とする。
【考案の効果】
【００１４】
本考案に係るトイレットペーパーは、一般的に広く流通しているダンボールのみを古紙原料としているため、仮に上質の古紙が無い場合であっても、トイレットペーパーを作製することができる。そのため、トイレットペーパーは、未晒しのダンボールの色と同じ薄茶色であるが、紙ナプキンやコーヒーフィルターは、トイレットペーパーと同様の衛生紙であるにもかかわらず、薄茶色のものが消費者に受け入れられているのだから、消費者が、別段、薄茶色のトイレットペーパーを敬遠する理由は無いと考えられる。
【００１５】
本考案に係るトイレットペーパーは、少なくとも最表層ウェブ及び内側ウェブの片方が、古紙原料をダンボールのみとし、未晒しのダンボールの色と同じ薄茶色である。仮に、上質の古紙等が足りない場合であっても、少なくとも最表層ウェブ又は内側ウェブの古紙原料を、一般的に広く流通しているダンボールとすることで、トイレットペーパーを作製することができる。また、最表層ウェブ及び内側ウェブのもう片方が、未晒しのダンボール以外の原料やバージンパルプを含んでいる。すなわち、本考案は、硬さや質感が異なる複数層のウェブで構成されるため、同質のウェブが積層されたトイレットペーパーと比較して、新たな感触を実現することができる。
【００１６】
本考案に係るトイレットペーパーは、内側ウェブが、古紙原料をダンボールのみとし、未晒しのダンボールの色と同じ薄茶色であり、最表層ウェブが、未晒しのダンボール以外の原料を含んでいる。この構成により、最表層ウェブの原料に応じて、最表層ウェブの色が薄茶色ではないため、外観に現れる最表層ウェブの色を適宜選択することができる。例えば、白色は、従来から消費者に好まれているため、最表層ウェブの色として白色を選択することもでき、内側ウェブの薄茶色を目立たなくすることができる。
【００１７】
本考案に係るトイレットペーパーは、少なくとも、最表層ウェブ、内側ウェブ及び下層ウェブを有し、内側ウェブのみが、古紙原料をダンボールのみとした未晒しのダンボールの色と同じ薄茶色である。外観に現れる最表層ウェブの色を適宜選択することで、内側ウェブの薄茶色を目立たなくすることができる。また、ふわりとした感触が実現する。
【００１８】
本考案に係るトイレットペーパーは、最表層ウェブの裏面にインクが印刷されている。すなわち、表面には、インクが印刷されておらず、また、インクが印刷された裏面には、ウェブが積層されている。この構成により、消費者が、インクに直接触れることがないため、インクによる人体への影響を防ぐことができる。
【００１９】
本考案に係るトイレットペーパーは、内側ウェブの表面にインクが印刷されている。すなわち、インクが印刷された表面には、最表層ウェブが積層されている。この構成により、消費者が、インクに直接触れることがないため、インクによる人体への影響を防ぐことができる。
【００２０】
本考案に係るトイレットペーパーは、インクに消臭抗菌材が含有されている。したがって、衛生的である。
【図面の簡単な説明】
【００２１】
【図１】図１は、本考案の第一実施形態に係るトイレットペーパーの外観斜視図である。
【図２】図２は、本考案の第二実施形態に係るトイレットペーパーの外観斜視図である。
【図３】図３は、本考案の第三実施形態に係るトイレットペーパーの外観斜視図である。
【図４】図４は、本考案の第四実施形態に係るトイレットペーパーの外観斜視図である。
【図５】図５は、本考案の第五実施形態に係るトイレットペーパーの外観斜視図である。
【考案を実施するための形態】
【００２２】
以下に、本考案の第一実施形態に係るトイレットペーパーを図面に基づいて説明する。図１は、第一実施形態に係るトイレットペーパー１の外観が示されている。
【００２３】
図１に示されているとおり、トイレットペーパー１は、例えば、６５メートル程度の長尺のペーパーであるウェブが、中心孔部２を中心に巻き回されたものであって、ロール状に形成されている。トイレットペーパー１は、薄茶色であり、この色は、トイレットペーパー１の古紙原料であるダンボールの色である。すなわち、トイレットペーパー１は、未晒しのダンボールのみを古紙原料として製作されているため、古紙原料であるダンボールと同色となる。トイレットペーパー１の表面には、図柄４が印刷されている。この図柄４は、消臭抗菌材を含有したインクで印刷されている。消臭抗菌材は、例えば、古紙や木材チップを用いて再生紙が作製される際に発生するペーパースラッジが炭化焼成されたものや、穀物、ヤシ殻、木材、石炭、泥炭等から作製された活性炭等を原料としている。
【００２４】
トイレットペーパー１の中心孔部２は、芯材を有しておらず、また、内面に凹凸３が形成されている。この凹凸３は、作製過程において、原反ロールが巻き回されるシャフトの形状の跡として形成されたものである。トイレットペーパー１は、芯材を有していないため、トイレットペーパー１を使い切った後には、何も残らず、芯材がゴミとなることもない。
【００２５】
トイレットペーパー１の作製には、少なくとも、溶解工程、精選工程、脱墨工程、滅菌殺菌工程、抄紙工程、印刷工程、原反ロール作製工程及び製品加工工程を経る。
【００２６】
溶解工程では、ダンボールがパルパーに投入され、水又は温水の何れかと、界面活性剤等の薬品とが加えられ、撹拌される。これにより、古紙原料が繊維状にほぐされる。精選工程では、リキッドサイクロンの遠心力により、古紙原料を束ねるクリップ、ホチキス等の重量異物が除去される。さらに、スクリーンセパレータにより、紙の原料とならないプラスチック等の異物が除去される。脱墨工程では、フローテーションにより、古紙原料に印刷されたインクが剥離され、古紙原料からインクが除去される。滅菌殺菌工程では、酸素、過酸化水素、オゾン、次亜塩素酸ソーダ等の薬品で滅菌殺菌される。
【００２７】
古紙原料から生成されたパルプは、抄紙工程を経て薄葉紙となる。抄紙工程では、抄紙機により、パルプが抄紙されて長尺の原紙が生成され、ポープリールで巻き取られる。抄紙工程は、少なくとも、パルプから懸濁液を濾し取るウェット工程、水分を搾り取るプレス工程、乾燥させるドライヤ工程を経る。
【００２８】
ウェット工程では、網状のワイヤにパルプが広げられ、網の目から懸濁液が濾し取られる。プレス工程では、周面が対面したローラ間に通されて水分が絞り取られる。ドライヤ工程では、ドライヤ装置で乾燥されて原紙が得られる。ドライヤ装置には、例えばヤンキードライヤ、バンドドライヤ等が用いられる。
【００２９】
印刷工程では、消臭抗菌インクが、例えば、文字、図柄４、模様等として、印刷機によって原紙の表面又は裏面に印刷される。なお、適宜、エンボス加工工程を経てもよい。エンボス加工工程では、原紙に凹凸による模様、図柄等が形成される。エンボス加工工程に用いられるエンボス加工装置は、例えば、模様や図柄などの彫刻が施されたロール間で原紙を挟み、押圧して原紙にエンボス加工を施す。エンボス加工装置には、積層する原紙の枚数に応じて複数の原反ロールを供給する。薄葉紙をトイレットペーパーに用いるのであれば、原紙の枚数は二枚から四枚程度である。
【００３０】
原反ロール作製工程では、原紙がポープリールでロール状に巻き回され、原反ロールが作製される。
【００３１】
製品加工工程では、リワインダにより、原反ロールが製品規格の長さに巻き直される。また、ミシン目などが施され、原反ロールが製品規格の幅に裁断される。製品加工工程には、ペーパーロール作製工程が含まれる。ペーパーロール作製工程では、原紙が積層されながらシャフトに巻き回され、いわゆる巻取の薄葉紙となる。シャフトは、軸方向から視した断面において、外面が凹凸形状であるため、シャフトが引き抜かれた跡として、トイレットペーパー１の中心孔部２の内面に、凹凸３が形成される。
【００３２】
上記のとおり、トイレットペーパー１は、一般的に広く流通しているダンボールのみを古紙原料としているため、仮に上質の古紙が無い場合であっても、作製することができる。そのため、トイレットペーパー１は、紙ナプキンやコーヒーフィルターと同様に、未晒しのダンボールの色と同じ薄茶色である。したがって、衛生紙として、違和感なく消費者に受け入れられる。
【００３３】
次に、本考案の第二実施形態に係るトイレットペーパーを図面に基づいて説明する。図２は、第二実施形態に係るトイレットペーパー２１の外観が示されている。なお、以下では、主に、第一実施形態に係るトイレットペーパー１と異なる構成が説明され、トイレットペーパー１と同様の構成は、適宜説明が省略されている。トイレットペーパー２１は、二枚の長尺なウェブが重ねられている点、及び、各ウェブが異なる原料から作製されている点が、トイレットペーパー１と異なる。
【００３４】
図２に示されているとおり、トイレットペーパー２１は、二枚の長尺なペーパーであるウェブが重ねられてロール状に巻き回されたものである。積層された各ウェブのうち、外側のウェブが、最表層ウェブ５であり、この最表層ウェブ５以外である内側のウェブが、内側ウェブ６である。最表層ウェブ５は、未晒しのダンボールのみを古紙原料として製作されているため、古紙原料であるダンボールと同色の薄茶色である。一方で、内側ウェブ６は、例えば、バージンパルプを原料として作製されている。
【００３５】
トイレットペーパー２１であれば、仮に、バージンパルプや上質の古紙が足りない場合であっても、少なくとも最表層ウェブ５の古紙原料を、一般的に広く流通しているダンボールとすることで、作製される。また、硬さや質感が異なる二層の各ウェブ５，６で構成されるため、同質のウェブが積層されたトイレットペーパーと比較して、新たな感触を実現することができる。
【００３６】
次に、本考案の第三実施形態に係るトイレットペーパーを図面に基づいて説明する。図３は、第三実施形態に係るトイレットペーパー３１の外観が示されている。なお、以下では、主に、第二実施形態に係るトイレットペーパー２１と異なる構成が説明され、トイレットペーパー２１と同様の構成は、適宜説明が省略されている。トイレットペーパー３１は、最表層ウェブ５の裏面に消臭抗菌インクが印刷されている点が、トイレットペーパー２１と異なる。
【００３７】
図３に示されているとおり、トイレットペーパー３１は、最表層ウェブ５の裏面に、消臭抗菌インクが、図柄４として印刷され、最表層ウェブ５の表面には、消臭抗菌インクが印刷されていない。消臭抗菌インクが印刷された裏面には、内側ウェブ６が積層されている。したがって、消費者が、消臭抗菌インクに直接触れることがないため、消臭抗菌インクによる人体への影響を防ぐことができる。
【００３８】
次に、本考案の第四実施形態に係るトイレットペーパーを図面に基づいて説明する。図４は、第四実施形態に係るトイレットペーパー４１の外観が示されている。なお、以下では、主に、第一実施形態に係るトイレットペーパー１と異なる構成が説明され、トイレットペーパー１と同様の構成は、適宜説明が省略されている。トイレットペーパー４１は、二枚の長尺なウェブが重ねられている点、及び、各ウェブが異なる原料から作製されている点が、トイレットペーパー１と異なる。
【００３９】
図４に示されているとおり、トイレットペーパー４１は、二枚の長尺なペーパーであるウェブが重ねられてロール状に巻き回されたものである。積層された各ウェブのうち、最表層ウェブ５は、例えば、バージンパルプを原料として作製されている。一方で、内側ウェブ６は、未晒しのダンボールのみを古紙原料として製作されているため、古紙原料であるダンボールと同色の薄茶色である。内側ウェブ６の表面には、消臭抗菌インクが、図柄４として印刷され、一方で、最表層ウェブ５には、消臭抗菌インクが印刷されていない。
【００４０】
トイレットペーパー４１であれば、ダンボール以外の原料を含んだ最表層ウェブ５の色は、薄茶色ではないため、外観に現れる最表層ウェブ５の色を適宜選択することができる。例えば、白色は、従来から消費者に好まれているため、最表層ウェブ５の色として白色を選択することもでき、内側ウェブ６の薄茶色を目立たなくすることができる。また、消費者が、消臭抗菌インクに直接触れることがないため、消臭抗菌インクによる人体への影響を防ぐことができる。
【００４１】
次に、本考案の第五実施形態に係るトイレットペーパーを図面に基づいて説明する。図５は、第五実施形態に係るトイレットペーパー５１の外観が示されている。なお、以下では、主に、第一実施形態に係るトイレットペーパー１と異なる構成が説明され、トイレットペーパー１と同様の構成は、適宜説明が省略されている。トイレットペーパー５１は、三枚の長尺なウェブが重ねられている点、及び、各ウェブが異なる原料から作製されている点が、トイレットペーパー１と異なる。
【００４２】
図５に示されているとおり、トイレットペーパー５１は、三枚の長尺なペーパーであるウェブが重ねられてロール状に巻き回されたものである。積層された各ウェブのうち、最も外側のウェブが、最表層ウェブ５であり、この最表層ウェブ５の下層にあるウェブが内側ウェブ６であり、この内側ウェブ６の下層にあるウェブが下層ウェブ７である。最表層ウェブ５及び下層ウェブ７は、例えば、バージンパルプを原料として作製されている。一方で、内側ウェブ６は、未晒しのダンボールのみを古紙原料として製作されているため、古紙原料であるダンボールと同色の薄茶色である。
【００４３】
トイレットペーパー５１であれば、外観に現れる最表層ウェブ５の色を適宜選択することで、内側ウェブ６の薄茶色を目立たなくすることができる。また、三層であるため、ふわりとした感触が実現する。
【００４４】
なお、本考案の他の実施形態は、第一実施形態において、二枚又は三枚以上のウェブが重ねられたものである。
他の実施形態は、第二ないし第四実施形態において、三枚以上のウェブが重ねられたものである。
他の実施形態は、第五実施形態において、四枚以上のウェブが重ねられたものである。
他の実施形態では、未晒しのダンボール以外の原料は、例えば、古紙や紙パック等である。
他の実施形態では、抗菌消臭インクは、各ウェブの表面のみ、各ウェブの裏面のみ、または、各ウェブの表裏両面に抗菌消臭インクが印刷されている。
他の実施形態では、抗菌消臭インクは、最表層ウェブ、内側ウェブ又は下層ウェブに印刷されている。
他の実施形態では、抗菌消臭インクは、最表層ウェブ、内側ウェブ及び下層ウェブに印刷されている。
他の実施形態は、インクに抗菌消臭材が含有されていない。
他の実施形態は、インクが印刷されていない。
他の実施形態は、中心孔部に芯材を有している。
【００４５】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００４６】
１，２１，３１，４１，５１    トイレットペーパー
２    中心孔部
３    凹凸
４    図柄
５    最表層ウェブ
６    内側ウェブ
７    下層ウェブ
【図１】
0003235445.tif 000003
【図２】
0003235445.tif 000004
【図３】
0003235445.tif 000005
【図４】
0003235445.tif 000006
【図５】
0003235445.tif 000007
【手続補正書】
【提出日】令和3年10月27日(2021.10.27)
【手続補正１】
【補正対象書類名】実用新案登録請求の範囲
【補正対象項目名】全文
【補正方法】変更
【補正の内容】
【実用新案登録請求の範囲】
【請求項１】
重ねられた複数枚の長尺なウェブが巻き回されてロール状に形成されたトイレットペーパーであって、
最表層の前記ウェブである最表層ウェブが、古紙原料をダンボールのみとし、未晒しの前記ダンボールの色と同じ薄茶色であり、
前記最表層ウェブ以外の前記ウェブである内側ウェブが、前記ダンボール以外の原料を含む、
ことを特徴とするトイレットペーパー。
【請求項２】
重ねられた複数枚の長尺なウェブが巻き回されてロール状に形成されたトイレットペーパーであって、
最表層の前記ウェブである最表層ウェブが、ダンボール以外の原料を含み、
前記最表層ウェブ以外の前記ウェブである内側ウェブが、古紙原料を前記ダンボールのみとし、未晒しの前記ダンボールの色と同じ薄茶色である、
ことを特徴とするトイレットペーパー。
【請求項３】
重ねられた複数枚の長尺なウェブが巻き回されてロール状に形成されたトイレットペーパーであって、
最表層の前記ウェブである最表層ウェブ、前記最表層ウェブよりも下層にある前記ウェブである内側ウェブ、及び、前記内側ウェブよりも下層にある前記ウェブである下層ウェブを有し、
前記内側ウェブが、古紙原料をダンボールのみとし、未晒しの前記ダンボールの色と同じ薄茶色であり、
前記最表層ウェブ及び前記下層ウェブが、前記ダンボール以外の原料を含む、
ことを特徴とするトイレットペーパー。
【請求項４】
前記ダンボール以外の原料が、バージンパルプを含む、
ことを特徴とする請求項１から請求項３の何れか１項に記載されたトイレットペーパー。
【請求項５】
前記最表層ウェブの裏面にインクが印刷された、
ことを特徴とする請求項１から請求項４の何れか１項に記載されたトイレットペーパー。
【請求項６】
前記内側ウェブの表面にインクが印刷された、
ことを特徴とする請求項１から請求項４の何れか１項に記載されたトイレットペーパー。
【請求項７】
前記インクに、消臭抗菌材が含有された、
ことを特徴とする請求項５又は請求項６に記載されたトイレットペーパー。